(57)【特許請求の範囲】
【請求項１】
スラブ（１）の表面と中空管により形成された中空部（２）の間に、主筋（３）を設置したスラブ（１）において、前記中空部（２）の管径を長さの方向に差を与え、管径が小さな部分のコンクリート領域に、副筋（４）を配筋させ、主筋（３）と交差する格子形に設置したことを特徴とする格子形中空スラブ。
【発明の詳細な説明】
【０００１】
【発明の属する技術分野】
本発明は、格子形中空スラブに関するもので、詳しくは、土木建築において、橋梁や建築物などスパン（ＳＰＡＮ）の長いスラブを工事する時、中空部を成すスラブに主筋、及び、副筋の配筋を中空部に近接するよう格子形に配設させて、スラブ層の厚さを減らし、スラブを軽量化させながら、強度の高いスラブを得ようとするものである。
【０００２】
【従来の技術】
一般的に、橋梁や建築物のスラブ施工は、鋳型をつくり→墨をひき→下部主筋と下部副筋の配筋→電気、通信、消防などの設備→中空管設置→上部主筋と上部副筋の配筋→コンクリート敷設→養生の過程を順序的に進行させて中空スラブを構成させる。
【０００３】
上記の中空スラブに、中空部を形成させることによって、
▲１▼中空管の中空部面積程度の、コンクリート敷設量が節減される。
▲２▼スラブの軽量化。
▲３▼スラブ層の強度が高まる。
▲４▼スラブから中空管の間のコンクリートが“Ｉ”型に形成されて、撓み応力に対する強度が高まる。
▲５▼建築物の天井工事の時、支持柱（ｂｅａｍ）の設置が解消される。
などの効果を得る為、中空管はスラブ工事に力学的な構造物として、幅広く使われている。
【０００４】
従来の土木建築では、橋梁や建築物などのスラブ工事の時、鋳型を設置して上下部に主筋と副筋の配筋、及び、中空管を設置した後、コンクリートを敷設して、中空スラブを構成させているが、中空管によって成している中空部は、密閉された両側の断部が直角に構成されているので、コンクリートが亀裂する問題点がある。
【０００５】
すなわち、中空部が密閉されているので、温度の変化に従って、中空部が膨張、又は、収縮する。これが原因になり中空部周辺のコンクリートが亀裂するのであり、中空部の両側が直角を成している為、コンクリート構造物とスラブが接触する地点が荷重に最も脆弱なので、集中的に全段荷重が作用して、周辺のコンクリートが亀裂を起すのである。
【０００６】
そこで本発明者は、上記の問題点を解決しようと案出して、先に出願した中空スラブは、中空部の断部を緩慢な傾斜を成して、中空部の中の空気を外気と流動させて、コンクリートの亀裂を予防しているが、スパン（ＳＰＡＮ）が長いスラブやスラブ層の層高に伴った難点を、解消することができなかった。
【０００７】
すなわち、スラブの中の中空部周囲に、成りたつ主筋と副筋の配筋において、主筋は、中空部と同じ方向に長く配設されて、中空部間のコンクリートに強度を与える反面、副筋は主筋の上で交差して設置されるので、副筋は主筋を補強しながら、スラブの表面に発生する亀裂を防止するだけで、スラブ自体の強度には影響力がなく、スパンの長いスラブ構成には、難しさが伴い、結局スラブ層の厚さを厚くする問題点があった。
【０００８】
【発明が解決しようとする課題】
そこで、本発明は、上記の従来の問題点を解決する為に案出したもので、スラブの主筋と副筋を効果的に配筋して、スラブの厚さを薄くして軽量化させ、強度があるスラブを得ようとするのが、本発明の目的である。
【０００９】
【課題を解決するための手段】
上記の目的を達成する為に、本発明に係る格子形中空スラブは、スラブ（１）の表面と中空管により形成された中空部（２）の間に、主筋（３）を設置したスラブ（１）において、前記中空部（２）の管径を長さの方向に差を与え、管径が小さな部分のコンクリート領域に、副筋（４）を配筋させ、主筋（３）と交差する格子形に設置したことを特徴とする。
【００１０】
【発明の実施の形態】
以下、添付した図面により詳しく説明すれば、次のようである。
図１は、本発明によって構成されたスラブを、断面した一実施例の斜視図であり、本発明は、スパンの長いスラブに適用する場合が多いので、図面上には、一部だけを抜き取りしたもので、スラブに中空部と主筋、副筋を配筋した状態を表わしたものであり、図２は、本発明の一実施例の縦断面図で、中空部よりも直径が小さい部分に、副筋を配筋した状態を図示したものである。図３は、本発明の他の一実施例の縦断面図で、スラブの中の中空部を区切った状態で、副筋の配筋の模様を図示したものである。
【００１１】
図示したように、中空部２と主筋３を設置したスラブ１において、スラブ１中の中空部２を一定の間隔に、互に直径が違うように区切って、中空部２より直径が超えない範囲の中で、小さくした部分に副筋４を配筋した構造である。
【００１２】
上記の中空部２は、中空管によるもので、その中空管は、合成樹脂や金属、又は、非金属などの材質で造った環状形や螺旋形の皺を持った管である。この中空管は中空部を備えれば良いので、必要に応じて適切に選定して使えるが、スラブの強度を勘案して、補強力筋の役割をする環状形や螺旋形の皺を持った管を使うのが望ましい。
【００１３】
上記の中空部２は、スパンの長いスラブ全体に形成されるが、中空部２の全体を貫通することもできるし、また、中空部２を区切ることもできる。
【００１４】
すなわち、中空部２を成している中空管を、スラブ１の長さほど連結させるが、連結部分が無くても、貫通できるようにするとか、短い中空管を互いに連結させて成すことができる。中空部２を区切って、中空管を形成させることもできる。従って、施工に便利な方法を選定して使えばよい。
【００１５】
上記の、主筋３と副筋４は、スラブ１においてコンクリートを養生させながら、スラブに強度を与える為、鉄筋を配筋する方法で、主筋３は、中空部２と同じ長さの方向に配筋され、副筋４は、主筋３と交差して配筋される。
【００１６】
スラブ１においては、スラブ表面と中空部２の間に主筋３が設置され、中空部２よりも直径が小さい部分に、副筋４を配筋するとか、その部分と中空部２の間の区切られた部分に、副筋４を配筋する。
【００１７】
以上のように構成した本発明を、実施例によって表わした作用の効果を注意して見れば、次のようである。
【００１８】
橋梁や建築物を工事する時、構造物を設置した後、その構造物の間にスラブ１の工事をするが、従来のように鋳型を形成させて、鉄筋で主筋３と副筋４を配筋すると共に、中空管を配列した後にコンクリートを敷設して、これを養生させれば、中空部２程のコンクリートが節約され、主筋３と副筋４により強度の良いスラブ１が構成される。
【００１９】
すなわち、スラブ１の表面と中空部２の間に、主筋３と副筋４が設置された後に、コンクリートが敷設されるので、主筋３と副筋４が交差して設置される格子形になるので、コンクリート自体の亀裂の発生を予防しながら、スラブ１の強度を高めていく。
【００２０】
一方、主筋３は、スラブ１の表面と中空部２の間に、中空部２と同じ方向に設置され、その部分のスラブ１に強度を与え、副筋４は、主筋３と中空部２の間に、主筋３と交差して格子形に設置されるので、スラブ１に一層強度を与えることになる。
【００２１】
従って、主筋３と副筋４がスラブ１の表面と中空部２の間に設置される為、スラブ１の厚さが厚くなる従来に比べて、副筋４が中空部２の小さい管径に設置されるので、その程度スラブ１の厚さを減らすことができる。
【００２２】
結局、中空部２の管径を一定した区間に、小さく構成するのに従って、その部分のコンクリートを敷設する領域が、広くなるようにして、その所に副筋４を配筋するものであり、中空部２が、どのような形象であっても、中空部２の縮小によって成るコンクリートの領域に、副筋４を配筋する技術的構成は、本発明の範疇の中にあると言える。
【００２３】
【発明の効果】
スラブの中の中空部、及び、主筋と副筋を設置して構成されたスラブにおいては、中空部の管径を長さの方向に差を与え、管径が小さな部分に、副筋を効果的に配筋して、スラブの厚さを薄くしながら軽量化させ、強度が高いスラブを得る特徴がある。
【図面の簡単な説明】
【図１】本発明によって構成されたスラブを断面した一実施例の斜視図。
【図２】本発明の一実施例の縦断面図。
【図３】本発明の他の一実施例縦断面図。
【符号の説明】
１  スラブ                      ２  中空部
３  主筋                        ４  副筋
【図１】
0003938826.tif 000002
【図２】
0003938826.tif 000003
【図３】
0003938826.tif 000004